(57)【特許請求の範囲】
【請求項１】
液透過性の表面シートと、液難透過性の裏面シートと、これらシート間に配された縦長の吸収体とを備え、縦方向の両側部に、一対の立体ギャザー及び／又は一対のレッグギャザーが、各々弾性部材を配することによって形成された使い捨ておむつであって、
前記表面シートの一部又は全体に、該表面シートを親水化する親水化剤が保持され、
一対の立体ギャザー及び一対のレッグギャザーの少なくとも該立体ギャザーの一部又は全体に、ギャザーを撥水化する撥水化剤でもあるスキンケア剤が保持されており、
前記親水化剤は、下記式（Ｉ）
【化１】
0005766937.tif 000003
で表されるジアミド誘導体を含むスキンケア剤であり、
前記撥水化剤は、幅方向において、伸長させて拡げた状態の各前記立体ギャザーに塗工されていると共に、伸長させて拡げた状態の各前記立体ギャザーの内方側の端を越えて前記表面シートの一部にかかる位置にまで塗工され、
前記親水化剤は、幅方向において、伸長させて拡げた状態の前記一対の立体ギャザーの内方側の端同士の間に亘って、前記表面シートに塗工されており、
前記撥水化剤の塗工された各前記表面シートの一部では、前記親水化剤が重なって塗工されており、該撥水化剤と該親水化剤とが混合されて弱撥水性の領域が形成されている使い捨ておむつ。
【請求項２】
装着時に前記表面シートから立ち上がる一対の前記立体ギャザーそれぞれの立ち上がり部分に前記撥水化剤が保持されている請求項１に記載の使い捨ておむつ。
【請求項３】
装着時に前記表面シートから立ち上がる一対の前記立体ギャザーそれぞれの立ち上がり部分と対向する該表面シートの立ち上がり対向部分それぞれに前記撥水化剤が保持されている請求項１又は２に記載の使い捨ておむつ。
【請求項４】
一対の前記立体ギャザーそれぞれが内折りの立体ギャザーの場合には、該立体ギャザーの外面の一部又は全体に、前記撥水化剤が保持されており、一対の前記立体ギャザーそれぞれが外折りの立体ギャザーの場合には、該立体ギャザーの内面の一部又は全体に、前記撥水化剤が保持されている請求項１〜３の何れか１項に記載の使い捨ておむつ。
【請求項５】
前記使い捨ておむつは、前記表面シート、前記裏面シート及び前記吸収体を備えた吸収性本体と、該吸収性本体の前記裏面シート側に配され固定された外層体とを有し、該外層体の腹側部の両側縁部及び背側部の両側縁部を互いに融着して形成されるパンツ型使い捨ておむつであって、
前記外層体の内面の一部又は全体に、前記撥水化剤が保持されている請求項１〜４の何れか１項に記載の使い捨ておむつ。
【請求項６】
前記表面シートの全表面積に対する前記弱撥水性の領域の割合は、３〜３０％である請求項１〜５の何れか１項に記載の使い捨ておむつ。
【発明の詳細な説明】
【技術分野】
【０００１】
本発明は、展開型の使い捨ておむつ、パンツ型使い捨ておむつ等の使い捨ておむつに関する。
【背景技術】
【０００２】
従来より、スキンケア剤の塗布された使い捨ておむつが種々提案されている。
例えば、特許文献１には、カフス、又はカフスとトップシートとの上にスキンケア組成物が配置された使い捨ておむつが記載されている。また、特許文献１には、前記スキンケア組成物を、カフスのバリヤー特性を改良するために選ぶことが記載されている。
しかし、特許文献１には、トップシート上に配置するスキンケア組成物が、ジアミド誘導体を含むものであることに関しては何ら記載されていない。
【０００３】
ジアミド誘導体に関し、本出願人は先に、表面シートに水溶性スキンケア剤が存在し、該水溶性スキンケア剤上であって該水溶性スキンケア剤よりも肌側に、特定のジアミド誘導体からなる油性スキンケア剤が存在する吸収性物品を提案した（特許文献２，特許文献３参照）。
しかし、特許文献２，３には、表面シートに、体液の吸収性能が低下し難く、スキンケア効果の高いスキンケア組成物を塗布し、立体ギャザー又はレッグギャザーに、体液が染み出し難く、撥水性能が向上するとともに、スキンケア効果の高いスキンケア組成物を塗布し、各部位でスキンケア組成物を塗り分けることについて、何ら記載されていない。
【先行技術文献】
【特許文献】
【０００４】
【特許文献１】特表２００２−５０９４５７号公報
【特許文献２】特許第４０８４２７８号公報
【特許文献３】特許第４０８４２７９号公報
【発明の概要】
【発明が解決しようとする課題】
【０００５】
したがって、本発明の課題は、前述した従来技術が有する欠点を解消し得る使い捨ておむつを提供することにある。
【課題を解決するための手段】
【０００６】
本発明は、液透過性の表面シートと、液難透過性の裏面シートと、これらシート間に配された縦長の吸収体とを備え、縦方向の両側部に、一対の立体ギャザー及び／又は一対のレッグギャザーが、各々弾性部材を配することによって形成された使い捨ておむつであって、前記表面シートの一部又は全体に、該表面シートを親水化する親水化剤が保持され、一対の立体ギャザー及び／又は一対のレッグギャザーの一部又は全体に、ギャザーを撥水化する撥水化剤でもあるスキンケア剤が保持されており、前記親水化剤は、特定のジアミド誘導体を含むスキンケア剤である使い捨ておむつを提供するものである。
【発明の効果】
【０００７】
本発明の使い捨ておむつによれば、肌へのスキンケア効果が高いと共に、防漏性にも優れている。
【図面の簡単な説明】
【０００８】
【図１】図１は、本発明の第１実施形態である展開型の使い捨ておむつを伸長させて拡げた状態を一部破断して示す平面図である。
【図２】図２は、図１のＸ１−Ｘ１線断面図である。
【図３】図３は、本発明の第２実施形態である展開型の使い捨ておむつを伸長させて拡げた状態を一部破断して示す平面図（図１相当図）である。
【図４】図４は、図３のＸ２−Ｘ２線断面図（図２相当図）である。
【図５】図５は、本発明の第３実施形態である展開型の使い捨ておむつを伸長させて拡げた状態を一部破断して示す平面図（図１相当図）である。
【図６】図６は、図５のＸ３−Ｘ３線断面図（図２相当図）である。
【図７】図７は、本発明の第４実施形態であるパンツ型使い捨ておむつを展開して伸長した状態を表面シート側から見た展開平面図であり、外層体に保持させる撥水化剤の塗布位置を説明する図である。
【図８】図８は、本発明の第５実施形態であるパンツ型使い捨ておむつを展開して伸長した状態を表面シート側から見た展開平面図であり、外層体に保持させる撥水化剤の塗布位置を説明する図である。
【発明を実施するための形態】
【０００９】
以下、本発明の使い捨ておむつを、その好ましい第１実施形態に基づき、図１〜図２を参照しながら説明する。
【００１０】
第１実施形態の使い捨ておむつ１Ａ（以下、「おむつ１Ａ」ともいう。）は、液透過性の表面シート２１と、液難透過性の裏面シート２２と、これらシート２１，２２間に配された縦長の吸収体２３とを備え、図１，図２に示すように、縦方向（Ｙ方向）の両側部１ｓ，１ｓに、一対の立体ギャザー３，３及び一対のレッグギャザー４，４が、各々弾性部材３０，４０を配することによって形成された、所謂、展開型の使い捨ておむつである。おむつ１Ａは、図１に示すように、おむつ１Ａの縦方向に延びる中心線ＣＬに対して左右対称に形成されている。尚、各図に示す「Ｙ方向」は、中心線ＣＬに平行な方向であり、おむつの縦方向と同じ方向でもある。また各図に示す「Ｘ方向」は、中心線ＣＬに直交する方向であり、おむつの幅方向と同じ方向でもある。
【００１１】
おむつ１Ａについて、詳述すると、おむつ１Ａは、図１に示すように、表面シート２１、裏面シート２２、これらシート２１，２２間に配された吸収体２３を備え、図１に示すように、腹側部Ａ、背側部Ｂ及び股下部Ｃに区分された吸収性本体２、吸収性本体２の背側部Ｂの両側部２ｓ，２ｓにＸ方向の外方に延出する一対のファスニングテープ５，５、及び吸収性本体２の腹側部Ａに、ファスニングテープ５と係合するターゲットシート（不図示）を有する。
腹側部Ａは装着時に装着者の腹側に位置する部位であり、背側部Ｂは装着時に装着者の背側に位置する部位であり、股下部Ｃは腹側部Ａと背側部Ｂとの間に配される部位である。
【００１２】
吸収性本体２は、図１に示すように、Ｙ方向に長く、Ｙ方向の両側縁が、Ｙ方向の中央部において内方に括れた形状を有しており、Ｙ方向の両端部の幅が、Ｙ方向の中央部の幅よりも広くなっている。吸収性本体２は、図１に示すように、おむつ１Ａの内面をなす液透過性の表面シート２１と、おむつ１Ａの外面をなす液難透過性の裏面シート２２と、これらのシート２１，２２間に介在された液保持性の吸収体２３とを有している。表面シート２１及び裏面シート２２それぞれは、図１に示すように、吸収体２３の肌当接面側の全面及び非肌当接面側の全面を覆っており、吸収体２３の周縁から延出している。また、表面シート２１は、図２に示すように、Ｘ方向の長さが裏面シート２２のＸ方向の長さよりも短くなっている。
【００１３】
おむつ１Ａの吸収性本体２には、図１に示すように、Ｙ方向の両側部２ｓ，２ｓそれぞれに、表面シート２１を介してサイドシート２４が配されている。サイドシート２４は、図１に示すように、表面シート２１の肌当接面側であって、Ｙ方向の側部全域に亘って配設固定されている。各サイドシート２４のＸ方向の内方（中心線ＣＬ寄り）の端部は、図１に示すように、自由端となっており、股下部Ｃにおける自由端近傍には立体ギャザー形成用の弾性部材３０が長手方向（Ｙ方向）に伸長状態で配設固定されており、着用時には、その弾性部材の収縮力により、自由端から所定幅の部分が表面シート２１から離間して立体ギャザー３を形成する。
【００１４】
おむつ１Ａの吸収性本体２の両側部２ｓ，２ｓには、図１に示すように、腹側部Ａ及び背側部Ｂそれぞれにおいて、Ｘ方向の外方に延出したサイドシート２４と裏面シート２２とが接合され、サイドフラップ部２５が形成されている。また、吸収性本体２の両側部２ｓ，２ｓには、図１に示すように、股下部Ｃにおいて、幅方向（Ｘ方向）外方に延出したサイドシート２４と裏面シート２２とが接合され、レッグフラップ部２６が形成されている。レッグフラップ部２６には、股下部Ｃにおいて、レッグギャザー形成用の弾性部材４０が長手方向（Ｙ方向）に伸長状態で配設固定されており、着用時には、その弾性部材の収縮力により、レッグギャザー４が形成される。
【００１５】
表面シート２１には、表面シート２１の一部又は全体に、表面シート２１を親水化する親水化剤６が保持されており、おむつ１Ａにおいては、図１，図２に示すように、表面シート２１の一部に、表面シート２１を親水化する親水化剤６が保持されている。ここで親水化されているとは、接触角法による接触角度が８０度以下であることを意味する。接触角の測定には、協和界面科学株式会社製の接触角計ＭＣＡ−Ｊを用いる。具体的には、親水化剤６塗布後の表面シート２１上に、イオン交換水を滴下（約２０ピコリットル）した後、直ちに前記接触角計を用いて接触角度の測定を行う。測定は、親水化剤６塗布後の表面シート２１の５箇所以上の箇所で行う。
【００１６】
おむつ１Ａにおいては、図１，図２に示すように、表面シート２１の幅方向（Ｘ方向）中央部分に親水化剤６が保持されている。表面シート２１に親水化剤６を塗工するおむつ１Ａの親水化剤塗工領域６０は、図１に示すように、Ｘ方向においては、伸長させて拡げた状態の一対の立体ギャザー３，３の先端同士の間よりも狭く形成されており、Ｙ方向においては、吸収性本体２のＹ方向の両端間に亘って形成されている。表面シート２１の全表面積（左右の立体ギャザー３の付け根固定位置の間の表面シート面積）に対する親水化剤塗工領域６０の割合は、装着者の肌への剤の移行性およびスキンケア効果、表面シート２１への体液の透過性、立体ギャザー３から体液の染み出し難さおよび防漏性の観点から、１５〜７５％であることが好ましく、２０〜５５％であることが更に好ましい。
【００１７】
表面シート２１を親水化する親水化剤６としては、下記式（Ｉ）で表されるジアミド誘導体を含むスキンケア剤である。
【化１】
0005766937.tif 000002
【００１８】
上記の式（Ｉ）で表されるジアミド誘導体は、国際公開公報ＷＯ００／６１０９７号に記載されている発明のジアミド誘導体であり、角質層の水分保持能力およびバリヤー機能を改善するという薬効を有している。
【００１９】
使用するジアミド誘導体は１種のみであってもよいし、２種以上の複数種であってもよい。必要に応じて、他のスキンケア剤と併用することもできる。他のスキンケア剤としては、表面シート２１を親水化する上式（Ｉ）のジアミド誘導体の親水化剤としての役割を妨げないスキンケア剤であれば、特に制限なく用いることができ、例えば化粧品の分野においてエモリエント剤として用いられているもの等を用いることができる。
【００２０】
上記他のスキンケア剤の具体例としては、流動パラフィン、シリコーンオイル、動植物油（オリーブ油、ホオバ油、ベニバナ油、スクワランおよびスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル、パラフィンワックス、Ｃ12〜Ｃ22脂肪酸、Ｃ12〜Ｃ44脂肪酸エーテル、Ｃ12〜Ｃ22脂肪アルコール、ワセリン、脂肪酸ソルビタンエステル（モノエステル、ジエステル、およびトリエステルのいずれでもよい。）、ポリオキシエチレン脂肪酸ソルビタンエステル（モノエステル、ジエステル、およびトリエステルのいずれでもよい。）、金属石験（ステアリン酸マグネシウム等）、ショ糖脂肪酸エステル、シクロデキストリン脂肪酸エステル、シリコーン、シリコーン系レジン等が挙げられ、特許３２１７７９２号公報及び特許３２１７７９３号公報に記載されている発明で使用されるエモリエント剤等が挙げられ、表面シート上の体液の透過性を低下させない観点から、Ｃ12〜Ｃ22脂肪アルコールの中のステアリルアルコールと、上式（Ｉ）のジアミド誘導体との混合物を好ましく用いることができる。ステアリルアルコールと上式（Ｉ）のジアミド誘導体との混合比（ステアリルアルコール／ジアミド誘導体）は、肌への移行性およびスキンケア効果、使用時の感触、表面シート２１へ体液の透過性の観点から、９０／１０〜５０／５０（重量％）であること好ましい。
【００２１】
表面シート２１の親水化剤６の保持は、常温で固体又は半固体の親水化剤６を塗工装置（アプリケーター）のタンク内に投入し、加熱してその流動性を高めてから、表面シート２１にコーティングすることによって行う。表面シート２１に親水化剤６をコーティングした後は、常温で放置することにより、親水化剤６が固体又は半固体となり、表面シート２に親水化剤６が付着して保持される。
【００２２】
コーティング方式としては、ダイスコーター方式、スロットスプレー方式、カーテンスプレー方式、メルトブローン方式、スパイラルスプレー方式、グラビア方式、ビード方式等が挙げられる。
【００２３】
親水化剤６の塗工量（親水化剤６が実際に塗工されている領域（親水化剤塗工領域６０）での塗工量を意味する。）は、肌への移行性およびスキンケア効果、使用時の感触、表面シート２１への体液の透過性の観点から、０．１〜２．０ｇ／ｍ2の範囲とすることが好ましく、０．２〜１．０ｇ／ｍ2の範囲とすることが更に好ましい。
【００２４】
一対の立体ギャザー３，３及び／又は一対のレッグギャザー４，４には、一対の立体ギャザー３，３及び／又は一対のレッグギャザー４，４の一部又は全体に、ギャザーを撥水化する撥水化剤７でもあるスキンケア剤が保持されており、おむつ１Ａにおいては、図１，図２に示すように、一対の立体ギャザー３，３の一部に、ギャザーを撥水化する撥水化剤７でもあるスキンケア剤が保持されている。ここで撥水化されているとは、接触角法による接触角度が９０度以上であることを意味する。接触角の測定には、上述した親水化の接触角の測定と同様に、協和界面科学株式会社製の接触角計ＭＣＡ−Ｊを用いる。具体的には、撥水化剤７塗布後のギャザー上に、イオン交換水を滴下（約２０ピコリットル）した後、直ちに前記接触角計を用いて接触角度の測定を行う。測定は、撥水化剤７塗布後のギャザーの５箇所以上の箇所で行う。
【００２５】
おむつ１Ａにおいては、一対の立体ギャザー３，３の一部、即ち、図２に示すように、装着時に表面シート２１から立ち上がる一対の立体ギャザー３，３それぞれの立ち上がり部分３Ｒに撥水化剤７が保持されている。おむつ１Ａの一対の立体ギャザー３，３は、その先端が装着時に中心線ＣＬに向かって立ち上がる、所謂内折りの立体ギャザーであり、図２に示すように、内折りの立体ギャザー３の外面（肌当接面）の一部に撥水化剤７が保持されている。一対の立体ギャザー３，３それぞれに撥水化剤７を塗工するおむつ１Ａの撥水化剤塗工領域７０は、伸長させて拡げた状態の一対の立体ギャザー３，３それぞれにおいて、立体ギャザー３を形成するサイドシート２４の外面（肌当接面）の一部に形成されている。おむつ１Ａの撥水化剤塗工領域７０は、図１に示すように、Ｘ方向においては、表面シート２１のＸ方向の端縁の位置に対応するサイドシート２４の位置と、立体ギャザー形成用の複数本の弾性部材３０の中で最もＸ方向の外方側の弾性部材３０（中心線ＣＬに最も離れている弾性部材３０）の位置に対応するサイドシート２４の位置との間よりも狭く形成されており、Ｙ方向においては、吸収性本体２のＹ方向の両端間に亘って形成されている。股下部Ｃにおいては、おむつ１Ａの撥水化剤塗工領域７０は、Ｘ方向において、表面シート２１のＸ方向の端縁の位置に対応するサイドシート２４の位置から立体ギャザー３の先端に向かう立ち上がり部分３Ｒに形成されている。立体ギャザー３とレッグギャザー４との境界を表面シート２１のＸ方向の端縁の位置に対応するサイドシート２４の位置とした場合に、立体ギャザー３の全表面積（立体ギャザー３の付け根固定位置から立体ギャザー３の先端までの立体面積）に対する撥水化剤塗工領域７０の割合は、立体ギャザー３からの体液の染み出し難さおよび防漏性、肌へのスキンケア効果、使用時の感触の観点から、１０〜１００％であることが好ましく、３０〜６０％であることが更に好ましい。
立体ギャザー３から体液が染み出し難く防漏性を高める観点から、塗工領域７０の位置は、立体ギャザー３の先端部寄りよりも立体ギャザー３の付け根固定位置寄りに配されるのが好ましい。また、塗工領域７０においてストライプ状に塗工された場合には、複数本の合計を塗工領域７０の割合とする。
【００２６】
また、おむつ１Ａにおいては、図２に示すように、一対の立体ギャザー３，３それぞれの立ち上がり部分３Ｒと対向する表面シート２１の立ち上がり対向部分２１Ｒ，２１Ｒそれぞれにも撥水化剤７でもあるスキンケア剤が保持されている。表面シート２１に撥水化剤７を塗工するおむつ１Ａの撥水化剤塗工領域７０’は、上述した立体ギャザーの撥水化剤塗工領域７０に対向して形成されている。表面シート２１の全表面積（左右の立体ギャザー３の付け根固定位置の間の表面シート２１の面積)に対する撥水化剤塗工領域７０’（両側部２ｓ，２ｓの撥水化剤塗工領域７０’の合計）の割合は、表面シート２１上の立体ギャザー３の立ち上がり付近で体液がＸ方向へ移行し難く、体液が立体ギャザー３から染み出し難く(撥水性)および防漏性を高める観点から、５〜５０％であることが好ましく、１０〜３０％であることが更に好ましい。
また、表面シート２１の親水剤のスキンケア効果と表面シート２１への体液の透過性を低下させることなく、Ｘ方向へ体液が移行し難く、立体ギャザー３から体液が染み出し難く防漏性を高める観点から、一対の立体ギャザー３，３それぞれの立ち上がり部分３Ｒの撥水化剤塗工領域７０に対し、対向する表面シート２１の立ち上がり対向部分２１Ｒ，２１Ｒの撥水化剤塗工領域７０’の方が、巾が狭い方が好ましい。
【００２７】
ギャザーを撥水化する撥水化剤７でもあるスキンケア剤としては、Ｃ12〜Ｃ22脂肪アルコール、ワセリン、流動パラフィン、シリコーンオイル、動植物油（オリーブ油、ホオバ油、ベニバナ油、スクワランおよびスクワレン等）、ジグリセライド、トリグリセライド、パラフィンワックス、Ｃ12〜Ｃ22脂肪酸、シリコーン、シリコーン系レジン等が挙げられ、肌へのスキンケア効果、撥水性、使用時の感触の観点から、Ｃ12〜Ｃ22脂肪アルコールの中のステアリルアルコールとワセリンとの混合物を好ましく用いることができる。ステアリルアルコールとワセリンとの混合比（ステアリルアルコール／ワセリン）は、立体ギャザー３からの体液の染み出し難さおよび防漏性、肌へのスキンケア効果、使用時の感触の観点から、８０／２０〜５０／５０（重量％）であること好ましい。
【００２８】
ギャザーの撥水化剤７の保持は、常温で固体又は半固体の撥水化剤７を塗工装置（アプリケーター）のタンク内に投入し、加熱してその流動性を高めてから、ギャザーにコーティングすることによって行う。ギャザーに撥水化剤７をコーティングした後は、常温で放置することにより、撥水化剤７が固体又は半固体となり、ギャザーに撥水化剤７が付着して保持される。コーティング方式としては、上述した親水化剤６の方法と同様な方法を用いることができる。
【００２９】
ギャザーの撥水化剤７の塗工量（撥水化剤７が実際に塗工されている領域（撥水化剤塗工領域７０）での塗工量を意味する。）は、立体ギャザー３からの体液の染み出し難さおよび防漏性、肌へのスキンケア効果、使用時の感触の観点から、０．１〜２０．０ｇ／ｍ2の範囲とすることが好ましく、０．２〜１０．０ｇ／ｍ2の範囲とすることが更に好ましい。
【００３０】
表面シート２１の撥水化剤７の保持は、上述のように、加熱により流動性を高めてからギャザーにコーティングされた撥水化剤７が、立体ギャザー３を形成するサイドシート２４を透過することにより、表面シート２１に撥水化剤７が付着して保持される。従って、おむつ１Ａにおいては、図２に示すように、一対の立体ギャザー３，３それぞれの立ち上がり部分３Ｒと対向する表面シート２１の立ち上がり対向部分２１Ｒ，２１Ｒそれぞれに撥水化剤７が保持されるようになる。撥水化剤７がサイドシート２４を透過させる観点から、立体ギャザーの立ち上がり部分３Ｒは、図２に示すように、１枚のサイドシート２４から形成されていることが好ましい。この場合、１枚のサイドシート２４から形成される立体ギャザーの立ち上がり部分３Ｒと対向する表面シート２１の立ち上がり対向部分２１Ｒ，２１Ｒそれぞれは、撥水化剤７がより多く保持されるようになる。
【００３１】
表面シート２１の撥水化剤７の塗工量（撥水化剤７が塗工されている領域（撥水化剤塗工領域７０’）での塗工量を意味する。）は、表面シート２１の体液の透過性を低下させることなく、Ｘ方向へ体液が移行し難く、立体ギャザー３から体液が染み出し難く防漏性を高める観点から、０．１〜２．０ｇ／ｍ2の範囲とすることが好ましく、０．２〜１．０ｇ／ｍ2の範囲とすることが更に好ましい。
立体ギャザー３の撥水化剤７がサイドシート２４を透過しやすい観点から、ギャザー３の撥水化剤７の塗工量（撥水化剤７が塗工されている領域（撥水化剤塗工領域７０））の方が、表面シート２１の撥水化剤７の塗工量よりも多い方が好ましい。
表面シート２１の体液の透過性を低下させない観点から、表面シート２１の撥水化剤７の塗工量（撥水化剤７が塗工されている領域（撥水化剤塗工領域７０’））の方が、立体ギャザー３の撥水化剤７の塗工量よりも少ない方が好ましい。
【００３２】
本実施形態のおむつ１Ａの形成材料について説明する。
吸収性本体２を構成する表面シート２１、裏面シート２２及び吸収体２３としては、それぞれ、通常、使い捨ておむつ等の吸収性物品に用いられるものであれば、特に制限なく用いることができる。例えば、表面シート２１としては、親水性且つ液透過性の不織布等を用いることができ、裏面シート２２としては、液不透過性又は撥水性の樹脂フィルムや樹脂フィルムと不織布の積層体等を用いることができ、吸収体２３としては、パルプ繊維等の繊維の集合体（不織布であっても良い）又はこれに吸水性ポリマーの粒子を保持させてなる吸収性コアを、透水性の薄紙や不織布からなるコアラップシートで被覆したもの等を用いることができる。立体ギャザー３やレッグギャザー４を形成するサイドシート２４としては、それぞれ、通常、使い捨ておむつ等の吸収性物品に用いられるものであれば、特に制限なく用いることができ、伸縮性のフィルム、不織布、織物またはそれらの積層シート等を用いることができる。立体ギャザー形成用の弾性部材３０、レッグギャザー形成用の弾性部材４０としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３３】
ファスニングテープ５の係合突起及びターゲットシート（不図示）は、通常、使い捨ておむつ等の吸収性物品に用いられるものであれば、特に制限なく用いることができる。例えば、係合突起としては、「マジックテープ（登録商標）」（クラレ社製）、「クイックロン（登録商標）」（ＹＫＫ社製）、「マジクロス（登録商標）」（カネボウベルタッチ社製）等におけるオス部材等を用いることができる。ターゲットシート（不図示）としては、係合突起を押しつけることにより、係合突起を止着可能なものを特に制限なく用いることができる。例えば、例えば上述した各種公知の機械的面ファスナーにおけるメス部材や係合性に富む不織布を用いることができる。
【００３４】
表面シート２１、裏面シート２２、サイドシート２４、ファスニングテープ６及びターゲットシート（不図示）の固定には、通常、使い捨ておむつ等の吸収性物品に用いられる接着剤やヒートエンボス、超音波エンボス、高周波エンボス等の融着手段が用いられる。
【００３５】
次に上述した本発明の第１実施形態の使い捨ておむつ１Ａを使用した際の作用効果について説明する。
おむつ１Ａは、図１，図２に示すように、表面シート２１の一部に上式（Ｉ）で表されるジアミド誘導体を含む親水化剤６が保持され、一対の立体ギャザー３，３の一部に撥水化剤７でもあるスキンケア剤が保持されている。このように、おむつ１Ａにおいては、装着者の肌に最も接する面積の広い表面シート２に、体液の吸収性能が低下し難く且つスキンケア効果の高い、親水化剤６のジアミド誘導体を含むスキンケア剤が塗布されており、一対の立体ギャザー３，３に、撥水化剤７でもあるスキンケア剤が保持されているので、肌へのスキンケア効果が高く、更に、一対の立体ギャザー３，３に保持された撥水剤７によって体液が染み出し難く、防漏性にも優れている。このように、おむつ１Ａは、肌へのスキンケア効果が高いと共に防漏性にも優れている。
【００３６】
また、おむつ１Ａには、図１，図２に示すように、一対の立体ギャザー３，３それぞれの立ち上がり部分３Ｒに撥水化剤７でもあるスキンケア剤が保持されているので、体液がＸ方向へ更に染み出し難く、防漏性にも優れている。また、おむつ１Ａの立体ギャザー３は、図２に示すように、内折りの立体ギャザーであり、内折りの立体ギャザー３の外面の一部に撥水化剤７でもあるスキンケア剤が保持されているので、肌へのスキンケア効果が更に高い。また、おむつ１Ａには、図１，図２に示すように、表面シート２１の立ち上がり対向部分２１Ｒ，２１Ｒそれぞれに撥水化剤７が保持されているので、表面シート２１におけるＸ方向への体液が移行し難く、立体ギャザー３から体液が染み出し難く防漏性に優れている。
【００３７】
次に、本発明の第２実施形態の使い捨ておむつについて、図３，図４に基づいて説明する。
第２実施形態の使い捨ておむつ１Ｂ（以下、「おむつ１Ｂ」ともいう）については、第１実施形態の使い捨ておむつ１Ａと異なる点について説明する。特に説明しない点は、おむつ１Ａと同様であり、おむつ１Ａの説明が適宜適用される。
【００３８】
第２実施形態のおむつ１Ｂは、図３，図４に示すように、おむつ１Ａと同様に、展開型の使い捨ておむつである。おむつ１Ｂにおいては、図３，図４に示すように、表面シート２１の一部である表面シート２１の幅方向（Ｘ方向）中央部分に、表面シート２１を親水化する親水化剤６が保持されている。表面シート２１に親水化剤６を塗工するおむつ１Ｂの親水化剤塗工領域６０は、図３に示すように、Ｘ方向においては、伸長させて拡げた状態の一対の立体ギャザー３，３の先端同士の間に亘って形成されており、Ｙ方向においては、吸収性本体２のＹ方向の両端間に亘って形成されている。
【００３９】
おむつ１Ｂにおいては、図３，図４に示すように、一対の立体ギャザー３，３及び一対のレッグギャザー４，４の全体に、ギャザーを撥水化する撥水化剤７でもあるスキンケア剤が保持されている。おむつ１Ｂの一対の立体ギャザー３，３は、その先端が装着時に中心線ＣＬに向かって立ち上がる、所謂内折りの立体ギャザーであり、図３，図４に示すように、内折りの立体ギャザー３の外面（肌当接面）の全体に撥水化剤７が保持されており、レッグギャザー４，４の外面（肌当接面）の全体に撥水化剤７が保持されている。立体ギャザー及びレッグギャザー４に撥水化剤７を塗工するおむつ１Ｂの撥水化剤塗工領域７０は、伸長させて拡げた状態の一対の立体ギャザー３，３及び一対のレッグギャザー４，４において、立体ギャザー３及びレッグギャザー４を形成するサイドシート２４の外面（肌当接面）の全体に形成されている。おむつ１Ｂの撥水化剤塗工領域７０は、図３に示すように、各サイドシート２４のＸ方向の両端間、即ち、各サイドシート２４のＸ方向内方側の端（中心線ＣＬ側の端）とＸ方向外方側の端との間に亘って形成され、サイドシート２４のＹ方向の両端間に亘って形成されている。
【００４０】
尚、おむつ１Ｂにおいては、図４に示すように、表面シート２１には撥水化剤７が保持されていない。表面シート２１が撥水化剤７を保持しないように、立体ギャザー３を形成するサイドシート２４には、加熱により流動性の高められた撥水化剤７が透過し難いように、メルトブローンを含んだサイドシート２４を用いることが好ましい。
【００４１】
第２実施形態の使い捨ておむつ１Ｂの形成材料について説明する。第２実施形態の使い捨ておむつ１Ｂについては、第１実施形態の使い捨ておむつ１Ａの形成材料と同様である。
【００４２】
上述した本発明の第２実施形態の使い捨ておむつ１Ｂを使用した際の作用効果について説明する。
第２実施形態の使い捨ておむつ１Ｂの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００４３】
おむつ１Ｂは、図３，図４に示すように、表面シート２１の幅方向（Ｘ方向）中央部分に、表面シート２１を親水化する親水化剤６が保持されており、一対の立体ギャザー３，３及び一対のレッグギャザー４，４の全体に、ギャザーを撥水化する撥水化剤７でもあるスキンケア剤が保持されている。このように、おむつ１Ｂにおいては、装着者の肌に接する表面シート２に、体液の吸収性能が低下し難く且つスキンケア効果の高い、親水化剤６のジアミド誘導体を含むスキンケア剤が塗布されており、装着者の肌に接する一対の立体ギャザー３，３及び一対のレッグギャザー４，４の全体に、体液が染み出し難い撥水化剤７でもあるスキンケア剤が保持されているので、肌へのスキンケア効果に優れていると共に体液が染み出し難い。
【００４４】
次に、本発明の第３実施形態の使い捨ておむつについて、図５，図６に基づいて説明する。
第３実施形態の使い捨ておむつ１Ｃ（以下、「おむつ１Ｃ」ともいう）については、第１実施形態の使い捨ておむつ１Ａと異なる点について説明する。特に説明しない点は、おむつ１Ａと同様であり、おむつ１Ａの説明が適宜適用される。
【００４５】
第３実施形態のおむつ１Ｃは、図５，図６に示すように、おむつ１Ａと同様に、展開型の使い捨ておむつである。おむつ１Ｃにおいては、図５，図６に示すように、表面シート２１の一部である表面シート２１の幅方向（Ｘ方向）中央部分に、表面シート２１を親水化する親水化剤６が保持されている。表面シート２１に親水化剤６を塗工するおむつ１Ｃの親水化剤塗工領域６０は、図５に示すように、Ｘ方向においては、伸長させて拡げた状態の一対の立体ギャザー３，３の先端同士の間に亘って形成されており、Ｙ方向においては、吸収性本体２のＹ方向の両端間に亘って形成されている。
【００４６】
おむつ１Ｃにおいては、図５，図６に示すように、一対の立体ギャザー３，３及び一対のレッグギャザー４，４の全体に、ギャザーを撥水化する撥水化剤７でもあるスキンケア剤が保持されている。おむつ１Ｃの一対の立体ギャザー３，３は、その先端が装着時に中心線ＣＬに向かって立ち上がる、所謂内折りの立体ギャザーであり、図５，図６に示すように、内折りの立体ギャザー３の外面（肌当接面）の全体に撥水化剤７が保持されており、レッグギャザー４，４の外面（肌当接面）の全体に撥水化剤７が保持されている。立体ギャザー及びレッグギャザー４に撥水化剤７を塗工するおむつ１Ｃの撥水化剤塗工領域７０は、伸長させて拡げた状態の一対の立体ギャザー３，３及び一対のレッグギャザー４，４において、立体ギャザー３及びレッグギャザー４を形成するサイドシート２４の外面（肌当接面）の全体に形成されており、サイドシート２４のＸ方向内方側（中心線ＣＬ側）の端を越えて、表面シート２１の一部にもかかる位置に形成されている。このように、おむつ１Ｃの撥水化剤塗工領域７０は、図５に示すように、各サイドシート２４のＸ方向の両端間、即ち、各サイドシート２４のＸ方向内方側（中心線ＣＬ側）の端とＸ方向外方側の端との間に亘って形成さていると共に、サイドシート２４のＸ方向内方側（中心線ＣＬ側）の端を越えて、表面シート２１の一部にかかる位置にまで延びて形成されている。
【００４７】
また、おむつ１Ｃにおいては、図６に示すように、一対の立体ギャザー３，３それぞれと対向する表面シート２１の対向部分２１Ｏ，２１Ｏそれぞれにも撥水化剤７でもあるスキンケア剤が保持されている。表面シート２１に撥水化剤７を塗工するおむつ１Ｃの撥水化剤塗工領域７０’は、上述した立体ギャザー３の撥水化剤塗工領域７０に対向して形成されている。おむつ１Ｃの撥水化剤塗工領域７０’は、立体ギャザー３及びレッグギャザー４の撥水化剤塗工領域７０が、図５，図６に示すように、サイドシート２４の外面（肌当接面）の全体に形成されており、加熱により流動性を高めてからギャザーにコーティングされた撥水化剤７がサイドシート２４を透過することにより、表面シート２１に撥水化剤７が付着保持されて形成される。
対向部分２１Ｏ、２１Ｏの撥水化剤７は、サイドシート２４を折返して二重で形成される立体ギャザー３の先端部に対向する対向部分２１Ｏより、１枚のサイドシート２４から形成される立体ギャザーの立ち上がり部分３Ｒに対向する対向部分２１Ｏの方がより多く保持される。
【００４８】
おむつ１Ｃにおいては、図５，図６に示すように、表面シート２１の一部に一対の弱撥水性の領域２１Ｃ，２１Ｃを有している。各弱撥水性の領域２１Ｃは、各サイドシート２４のＸ方向内方側の端（中心線ＣＬ側の端）よりも内方に位置する表面シート２１の一部に形成されている。上述したように、おむつ１Ｃにおいては、撥水化剤塗工領域７０が、各サイドシート２４のＸ方向内方側の端（中心線ＣＬ側の端）とＸ方向外方側の端との間に亘って形成さていると共に、各サイドシート２４のＸ方向内方側の端（中心線ＣＬ側の端）を越えて、表面シート２１の一部にかかる位置にまで延びて形成されており、表面シート２１の一部の前記位置には、撥水化剤７が付着して保持される。また、上述したように、おむつ１Ｃにおいては、表面シート２１の親水化剤塗工領域６０が、図５，図６に示すように、Ｘ方向においては、伸長させて拡げた状態の一対の立体ギャザー３，３の先端同士の間に亘って形成されている。従って、Ｘ方向において、前記親水化剤塗工領域６０の部分と撥水化剤塗工領域７０とが、表面シート２１の一部の位置において重なっており、該位置において、親水化剤６と撥水化剤７とが混合され、おむつ１Ｃの表面シート２１の一部に一対の弱撥水性の領域２１Ｃ，２１Ｃが形成される。
【００４９】
ここで弱撥水性とは、接触角法による接触角度が、表面シート２１の親水化剤塗６の接触角度と立体ギャザーの撥水化剤７の接触角度の中間の範囲であることを意味する。接触角の測定は、上述した親水化の接触角の測定と同様に、協和界面科学株式会社製の接触角計ＭＣＡ−Ｊを用いて測定する。
表面シート２１の全表面積に対する弱撥水性の領域２１Ｃ（両側部２ｓ，２ｓの領域２１Ｃの合計）の割合は、表面シート２１の親水剤のスキンケア効果と表面シート２１への体液の透過性を低下させることなく、表面シート２１のＸ方向へ体液が移行し難く防漏性を高める観点から、３〜３０％であることが好ましく、７〜２０％であることが更に好ましい。
【００５０】
第３実施形態の使い捨ておむつ１Ｃの形成材料について説明する。第３実施形態の使い捨ておむつ１Ｃについては、第１実施形態の使い捨ておむつ１Ａの形成材料と同様である。
【００５１】
上述した本発明の第３実施形態の使い捨ておむつ１Ｃを使用した際の作用効果について説明する。
第３実施形態の使い捨ておむつ１Ｃの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００５２】
おむつ１Ｃは、図５，図６に示すように、表面シート２１の一対の中間部分２１Ｃそれぞれが弱撥水性となっているため、表面シート２の幅方向（Ｘ方向）に体液が移行し難く、防漏性に優れている。
【００５３】
次に、本発明の第４実施形態の使い捨ておむつについて、図７に基づいて説明する。
第４実施形態の使い捨ておむつ１Ｄ（以下、「おむつ１Ｄ」ともいう）については、第１実施形態の使い捨ておむつ１Ａと異なる点について説明する。特に説明しない点は、おむつ１Ａと同様であり、おむつ１Ａの説明が適宜適用される。
【００５４】
第４実施形態のおむつ１Ｄは、図７に示すように、表面シート２１と、裏面シート２２と、吸収体２３とを備え、縦方向（Ｙ方向）の両側部１ｓ，１ｓに、一対の立体ギャザー３，３及び一対のレッグギャザー４，４が、各々弾性部材３０，４０を配することによって形成された、所謂、パンツ型使い捨ておむつである。おむつ１Ｄは、図７に示すように、表面シート２１、裏面シート２２、両シート２１，２２間に介在する吸収体２３を有する縦長の吸収性本体２と、吸収性本体２の裏面シート２２側に配され固定された外層体８とを有し、外層体８の腹側部Ａの両側縁部８ａ，８ａ及び背側部Ｂの両側縁部８ｂ，８ｂを互いに融着して形成されるパンツ型使い捨ておむつである。
【００５５】
外層体８は、図７に示すように、パンツ型使い捨ておむつの最外表面となる外層シート８１及び外層シート８１の内面側に配されている内層シート８２から形成されている。外層体８を構成する外層シート８１及び内層シート８２の間には、腹側部Ａの両側縁部８ａ，８ａ間及び背側部Ｂの両側縁部８ｂ，８ｂ間に亘って複数本の弾性部材が配されている。詳述すると、外層体８を構成する外層シート８１及び内層シート８２の間には、ウエスト弾性部材（不図示）、胴廻り弾性部材（不図示）及びレッグ弾性部材４０が配されており、腹側部Ａ及び背側部Ｂの両側縁部８ａ，８ａ，８ｂ，８ｂそれぞれに亘って、ウエスト弾性領域（ウエストギャザー）、胴回り弾性領域（胴回りギャザー）及び環状の一対のレッグギャザー４，４が形成されている。
【００５６】
おむつ１Ｄのレッグギャザー４は、腹側部Ａにおいては、複数本のレッグ弾性部材４０を、図７に示すように、腹側部Ａの一方（図７の左側）の側縁部８ａから腹側部Ａの一方（図７の左側）の括れに沿って固着し、股下部Ｃを通って、腹側部Ａの他方（図７の右側）の括れに沿って腹側部Ａの他方（図７の右側）の側縁部８ａに至るまで伸長状態で固着し、股下部Ｃの中央部（中心線ＣＬを含む部位）でカットすることにより形成されている。同様に、おむつ１Ｄのレッグギャザー４は、背側部Ｂにおいては、複数本のレッグ弾性部材４０を、図７に示すように、背側部Ｂの一方（図７の左側）の側縁部８ｂから背側部Ｂの一方（図７の左側）の括れに沿って固着し、股下部Ｃを通って、背側部Ｂの他方（図７の右側）の括れに沿って背側部Ｂの他方（図７の右側）の側縁部８ｂに至るまで伸長状態で固着し、股下部Ｃの中央部でカットすることにより形成されている。
【００５７】
外層体８の内面の一部又は全体には、撥水化剤７でもあるスキンケア剤が保持されており、おむつ１Ｄにおいては、外層体８を構成する内層シート８２の内面（肌当接面）に撥水化剤７が保持されている。具体的には、図７（ａ）に示すように、外層体８を構成する内層シート８２の内面（肌当接面）の全体に撥水化剤７が保持されていてもよく、図７（ｂ）に示すように、吸収性本体２よりも幅方向（Ｘ方向）外方であって、内層シート８２の腹側部Ａ及び背側部Ｂそれぞれの内面（肌当接面）に撥水化剤７が保持されていてもよく、図７（ｃ）に示すように、吸収性本体２よりも縦方向（Ｙ方向）外方であって、腹側部Ａ及び背側部Ｂそれぞれにおける内層シート８２の、所謂ウエスト弾性領域（ウエストギャザー）の内面（肌当接面）に撥水化剤７が保持されていてもよい。
【００５８】
外層体８の撥水化剤７の保持は、常温で固体又は半固体の撥水化剤７を塗工装置（アプリケーター）のタンク内に投入し、加熱してその流動性を高めてから、外層体８の内装シート８２にコーティングすることによって行う。内装シート８２に撥水化剤７をコーティングした後は、常温で放置することにより、撥水化剤７が固体又は半固体となり、外層体８に撥水化剤７が付着して保持される。コーティング方式としては、上述した親水化剤６の方法と同様な方法を用いることができる。
【００５９】
尚、おむつ１Ｄにおいては、おむつ１Ａと同様に、図７に示すように、表面シート２１の幅方向（Ｘ方向）中央部分に親水化剤６が保持されており、一対の立体ギャザー３，３の一部、即ち、装着時に表面シート２１から立ち上がる一対の立体ギャザー３，３それぞれの立ち上がり部分３Ｒに撥水化剤７が保持されている。また、おむつ１Ｄにおいては、おむつ１Ａと同様に、図７に示すように、立体ギャザー３の立ち上がり部分３Ｒと対向する表面シート２１の立ち上がり対向部分２１Ｒそれぞれにも撥水化剤７が保持されている。
【００６０】
第４実施形態の使い捨ておむつ１Ｄの形成材料について説明する。第４実施形態の使い捨ておむつ１Ｄについては、第１実施形態の使い捨ておむつ１Ａの形成材料と異なる点について説明する。
【００６１】
外層体８を構成する外層シート８１と内層シート８２としては、通常、使い捨ておむつ等の吸収性物品に用いられるものであれば、特に制限なく用いることができる。例えば、外層シート８１及び内層シート８２としては、不織布を用いることができる。
【００６２】
上述した本発明の第４実施形態の使い捨ておむつ１Ｄを使用した際の作用効果について説明する。
第４実施形態の使い捨ておむつ１Ｄの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００６３】
おむつ１Ｄは、図７に示すように、パンツ型使い捨ておむつであり、外層体８の内面の一部又は全体には、撥水化剤７でもあるスキンケア剤が保持されているため、汗もやゴム跡による赤みを低減する肌へのスキンケア効果があり、かつ、体液の外側への染み出しを防ぐ防漏効果がある。
【００６４】
次に、本発明の第５実施形態の使い捨ておむつについて、図８に基づいて説明する。
第５実施形態の使い捨ておむつ１Ｅ（以下、「おむつ１Ｅ」ともいう）については、第１実施形態の使い捨ておむつ１Ａと異なる点について説明する。特に説明しない点は、おむつ１Ａと同様であり、おむつ１Ａの説明が適宜適用される。
【００６５】
第５実施形態のおむつ１Ｅは、図８に示すように、表面シート２１と、裏面シート２２と、吸収体２３とを備え、縦方向（Ｙ方向）の両側部１ｓ，１ｓに、一対の立体ギャザー３，３が、弾性部材３０を配することによって形成された、所謂、パンツ型使い捨ておむつである。おむつ１Ｅは、図８に示すように、表面シート２１、裏面シート２２、両シート２１，２２間に介在する吸収体２３を有する縦長の吸収性本体２と、着用者の腹側に配される横長の矩形状の腹側シート部材９Ａと、着用者の背側に配される横長の矩形状の背側シート部材９Ｂとを備え、吸収性本体２が腹側シート部材９Ａ及び背側シート部材９Ｂに架け渡して固定され、腹側シート部材９Ａの両側縁部９ａ，９ａと背側シート９Ｂの両側縁部９ｂ，９ｂとが接合されて形成されるパンツ型使い捨ておむつである。おむつ１Ｅにおいては、腹側シート部材９Ａ及び背側シート部材９Ｂそれぞれが、吸収性本体２よりも外方に存在し、外層体となっている。
【００６６】
腹側シート部材９Ａ及び背側シート９Ｂそれぞれは、図８に示すように、縦方向（Ｙ方向）に離間させて配され且つ幅方向（Ｘ方向）に伸長した状態で配された複数本の弾性部材（不図示）を有している。おむつ１Ｅにおける腹側シート部材９Ａ及び背側シート部材９Ｂは何れも、図８に示すように、おむつの外面をなす外層シート９１と、外層シート９１の内面側に配された内層シート９２と、両シート９１，９２間に、幅方向（Ｘ方向）に伸長した状態の複数本の弾性部材（不図示）とを備えている。詳述すると、腹側シート部材９Ａ及び背側シート９Ｂそれぞれを構成する外層シート９１及び内層シート９２の間には、ウエスト弾性部材（不図示）及び胴廻り弾性部材（不図示）が配されており、腹側部Ａ及び背側部Ｂそれぞれには、ウエスト弾性領域（ウエストギャザー）、及び胴回り弾性領域（胴回りギャザー）が形成されている。尚、おむつ１Ｅには、図８に示すように、レッグギャザーは存在しない。
【００６７】
外層体である腹側シート部材９Ａ及び背側シート９Ｂそれぞれの内面の一部又は全体には、撥水化剤７でもあるスキンケア剤が保持されており、おむつ１Ｅにおいては、腹側シート部材９Ａ及び背側シート９Ｂそれぞれを構成する内層シート９２の内面（肌当接面）に撥水化剤７が保持されている。具体的には、図８（ａ）に示すように、吸収性本体２よりも幅方向（Ｘ方向）外方であって、腹側シート部材９Ａの内層シート９２の内面（肌当接面）及び背側シート９Ｂの内層シート９２の内面（肌当接面）それぞれに撥水化剤７が保持されていてもよく、図８（ｂ）に示すように、吸収性本体２よりも縦方向（Ｙ方向）外方であって、腹側シート部材９Ａの内層シート９２及び背側シート９Ｂの内層シート９２それぞれの、所謂ウエスト弾性領域（ウエストギャザー）の内面（肌当接面）に撥水化剤７が保持されていてもよい。
【００６８】
腹側シート部材９Ａ及び背側シート９Ｂそれぞれの撥水化剤７の保持は、常温で固体又は半固体の撥水化剤７を塗工装置（アプリケーター）のタンク内に投入し、加熱してその流動性を高めてから、腹側シート部材９Ａ及び背側シート９Ｂそれぞれの内層シート９２にコーティングすることによって行う。内装シート９２に撥水化剤７をコーティングした後は、常温で放置することにより、撥水化剤７が固体又は半固体となり、腹側シート部材９Ａ及び背側シート９Ｂそれぞれに撥水化剤７が付着して保持される。コーティング方式としては、上述した親水化剤６の方法と同様な方法を用いることができる。
【００６９】
尚、おむつ１Ｅにおいては、おむつ１Ａと同様に、図８に示すように、表面シート２１の幅方向（Ｘ方向）中央部分に親水化剤６が保持されており、一対の立体ギャザー３，３の一部、即ち、装着時に表面シート２１から立ち上がる一対の立体ギャザー３，３それぞれの立ち上がり部分３Ｒに撥水化剤７が保持されている。また、おむつ１Ｅにおいては、おむつ１Ａと同様に、図８に示すように、立体ギャザー３の立ち上がり部分３Ｒと対向する表面シート２１の立ち上がり対向部分２１Ｒそれぞれにも撥水化剤７が保持されている。
【００７０】
第５実施形態の使い捨ておむつ１Ｅの形成材料について説明する。第５実施形態の使い捨ておむつ１Ｅについては、第１実施形態の使い捨ておむつ１Ａの形成材料と異なる点について説明する。
【００７１】
外層体である腹側シート部材９Ａ及び背側シート９Ｂそれぞれを構成する外層シート９１と内層シート９２としては、通常、使い捨ておむつ等の吸収性物品に用いられるものであれば、特に制限なく用いることができる。例えば、外層シート９１及び内層シート９２としては、不織布を用いることができる。
【００７２】
上述した本発明の第５実施形態の使い捨ておむつ１Ｅを使用した際の作用効果について説明する。
第５実施形態の使い捨ておむつ１Ｅの効果については、第１実施形態の使い捨ておむつ１Ａの効果と異なる点について説明する。特に説明しない点は、第１実施形態の使い捨ておむつ１Ａの効果と同様であり、第１実施形態の使い捨ておむつ１Ａの効果の説明が適宜適用される。
【００７３】
おむつ１Ｅは、図８に示すように、パンツ型使い捨ておむつであり、外層体である腹側シート部材９Ａ及び背側シート９Ｂそれぞれの内面の一部又は全体には、撥水化剤７でもあるスキンケア剤が保持されているため、汗もやゴム跡による赤みを低減する肌へのスキンケア効果があり、かつ、体液の外側への染み出しを防ぐ防漏効果がある。
【００７４】
本発明の使い捨ておむつは、上述の第１実施形態の使い捨ておむつ１Ａ、第２実施形態の使い捨ておむつ１Ｂ、第３実施形態の使い捨ておむつ１Ｃ、第４実施形態の使い捨ておむつ１Ｄ及び第５実施形態の使い捨ておむつ１Ｅに何ら制限されるものではなく、適宜変更可能である。また、上述の第１，第２，第３，第４，第５実施形態の使い捨ておむつにおける各構成要件は、本発明の趣旨を損なわない範囲で、適宜組み合わせて実施できる。
【００７５】
例えば、上述の第１，第２，第３，第４，第５実施形態の使い捨ておむつ１Ａ，１Ｂ，１Ｃ，１Ｄ，１Ｅにおいては、図２，図４，図６，図７，図８に示すように、一対の立体ギャザー３，３それぞれが内折りの立体ギャザーであるが、外折りの立体ギャザーであってもよく、外折りの立体ギャザーの場合には、立体ギャザーの内面の一部又は全体に、撥水化剤７が保持されていることが好ましい。
【００７６】
また、上述の第１，第２，第３，第４，第５実施形態の使い捨ておむつ１Ａ，１Ｂ，１Ｃ，１Ｄ，１Ｅにおいては、図１，図３，図５，図７，図８に示すように、吸収性本体２を構成する表面シート２１には、親水化剤塗工領域６０が、Ｙ方向において、吸収性本体２のＹ方向の両端間に亘って形成されているが、両端間に亘って形成されていなくてもよい。例えば、吸収性本体２を構成する表面シート２１のＹ方向の中央部分に親水化剤６を保持し、吸収性本体２のＹ方向の両端部に疎水化剤７を保持するように、吸収性本体２のＹ方向の両端部それぞれに、Ｘ方向に延びる撥水化剤塗工領域７０を形成してもよい。
【００７７】
本発明の使い捨ておむつは、幼児又は成人用の使い捨ておむつであってもよい。
【符号の説明】
【００７８】
１Ａ，１Ｂ，１Ｃ，１Ｄ，１Ｅ  使い捨ておむつ
１ｓ  側部
２  吸収性本体
２ｓ  側部
２１  表面シート
２１Ｒ  立ち上がり対向部分
２１Ｏ  立体ギャザーとの対向部分
２２  裏面シート
２３  吸収体
２４  サイドシート
２５  サイドフラップ部
２６  レッグフラップ部
３  立体ギャザー
３Ｒ  立ち上がり部分
３０  立体ギャザー形成用の弾性部材
４  レッグギャザー
４０  レッグギャザー形成用の弾性部材
５  ファスニングテープ
６  親水化剤
６０  親水化剤塗工領域
７  撥水化剤
７０，７０’  撥水化剤塗工領域
８  外層体
８ａ，８ｂ  側縁部
８１  外層シート
８２  内層シート
９Ａ  腹側シート部材
９Ｂ  背側シート部材
９ａ，９ｂ  側縁部
９１  外層シート
９２  内層シート
【図１】
0005766937.tif 000004
【図２】
0005766937.tif 000005
【図３】
0005766937.tif 000006
【図４】
0005766937.tif 000007
【図５】
0005766937.tif 000008
【図６】
0005766937.tif 000009
【図７】
0005766937.tif 000010
【図８】
0005766937.tif 000011